【手続補正書】
【提出日】令和3年5月7日(2021.5.7)
【手続補正１】
【補正対象書類名】特許請求の範囲
【補正対象項目名】全文
【補正方法】変更
【補正の内容】
【特許請求の範囲】
【請求項１】
ａ）構造ＲａＲｂＣ＝ＣＨＲｃ（式中、Ｒａ及びＲｂは、互いに同じか又は異なり、−Ｃ（＝Ｏ）ＸＲｄ、−ＣＨ２Ｃ（＝Ｏ）ＸＲｅ、及び−Ｃ（＝Ｏ）Ｒｆから選択され、ただし、Ｒａ及びＲｂは、両方ともが−ＣＨ２Ｃ（＝Ｏ）ＸＲｅではなく；各Ｘは、独立してＯ又はＮＲｉであり、各Ｒｉは、Ｈ又は有機基から独立して選択され、Ｒｃは、Ｈ又はＣ１若しくはＣ２のアルキルであり、各Ｒｄ及びＲｅは、Ｈ、アルカリ金属若しくは有機基から独立して選択され；各Ｒｆは有機基であり；又は、Ｒｄ、Ｒｅ若しくはＲｆのうちの２つが、それらが結合している原子と一緒になって環を形成する）を有する少なくとも１つのコモノマーと；
ｂ）少なくとも１つの（メタ）アクリレート官能化化合物と
を含む、硬化性組成物。
【請求項２】
各Ｒｄ、Ｒｅ、Ｒｆ及びＲｇが、置換又は非置換であってもよい、アルキル基、アルケニル基、シクロアルキル基、ヘテロシクリル基、アルキルヘテロシクリル基、アリール基、アラルキル基、アルカリール基、ヘテロアリール基、アルクヘテロアリール基、オキシアルキレン基又はポリオキシアルキレン基から独立して選択される、請求項１に記載の硬化性組成物。
【請求項３】
１，１−ジエステル−１−アルケン、１，１−ジケト−１−アルケン、１−エステル−１−ケト−１−アルケン及びイタコネートからなる群から選択される少なくとも１つのコモノマーａ）を含む、請求項１又は２に記載の硬化性組成物。
【請求項４】
コモノマーａ）として、構造式（Ｉ）
【化１】
2020521837.tif 000001
（式中、Ｒ及びＲ’は、同じ若しくは異なり、置換若しくは非置換であってもよい、アルキル基、アルケニル基、シクロアルキル基、ヘテロシクリル基、アルキルヘテロシクリル基、アリール基、アラルキル基、アルカリール基、ヘテロアリール基、アルクヘテロアリール基、オキシアルキレン基及びポリオキシアルキレン基からなる群から独立して選択され、又は、Ｒ及びＲ’は、一緒になって置換若しくは非置換であってもよい５〜７員環若しくは複素環を形成する）に対応する少なくとも１つのメチレンマロネートを含む、請求項１〜３のいずれかに記載の硬化性組成物。
【請求項５】
前記少なくとも１つのコモノマーａ）が、ジシクロヘキシルメチレンマロネート、ジイソボルニルメチレンマロネート、エチルイソボルニルメチレンマロネート、ジヘキシルメチレンマロネート及びジエチルメチレンマロネートからなる群から選択される少なくとも１つのメチレンマロネートを含む、請求項１〜４のいずれかに記載の硬化性組成物。
【請求項６】
構造（ＩＩ）
【化２】
2020521837.tif 000002
（式中、Ｒ１及びＲ２は、独立してＣ１−Ｃ１５アルキル、Ｃ２−Ｃ１５アルケニル、ハロ−（Ｃ１−Ｃ１５アルキル）、Ｃ３−Ｃ１２シクロアルキル、ハロ−（Ｃ３−Ｃ１２シクロアルキル）、ヘテロシクリル、ヘテロシクリル−（Ｃ１−Ｃ１５アルキル）、アリール、アリール−（Ｃ１−Ｃ１５アルキル）、ヘテロアリール若しくはヘテロアリール−（Ｃ１−Ｃ１５アルキル）、又はアルコキシ−（Ｃ１−Ｃ１５アルキル）であり、これらはそれぞれＣ１−Ｃ１５アルキル、ハロ−（Ｃ１−Ｃ１５アルキル）、Ｃ３−Ｃ１２シクロアルキル、ハロ−（Ｃ３−Ｃ１２シクロアルキル）、ヘテロシクリル、ヘテロシクリル−（Ｃ１−Ｃ１５アルキル）、アリール、アリール−（Ｃ１−Ｃ１５アルキル）、ヘテロアリール、Ｃ１−Ｃ１５アルコキシ、Ｃ１−Ｃ１５アルキルチオ、ハロ、ヒドロキシル、ニトロ、アジド、シアノ、アシルオキシ、カルボキシ、又はエステルで任意選択的に置換されていてもよく；
又は、
Ｒ１及びＲ２は、それらが結合している原子と一緒になって、Ｃ１−Ｃ１５アルキル、ハロ−（Ｃ１−Ｃ１５アルキル）、Ｃ３−Ｃ１２シクロアルキル、ハロ−（Ｃ３−Ｃ１２シクロアルキル）、ヘテロシクリル、ヘテロシクリル−（Ｃ１−Ｃ１５アルキル）、アリール、アリール−（Ｃ１−Ｃ１５アルキル）、ヘテロアリール、Ｃ１−Ｃ１５アルコキシ、Ｃ１−Ｃ１５アルキルチオ、ハロ、ヒドロキシル、ニトロ、アジド、シアノ、アシルオキシ、カルボキシ、又はエステルで任意選択的に置換されていてもよい５〜７員複素環を形成する）を有する１つ以上のメチレンベータ−ジケトンモノマーを含む、請求項１〜３のいずれかに記載の硬化性組成物。
【請求項７】
前記少なくとも１つの（メタ）アクリレート官能化化合物ｂ）が、脂肪族モノアルコール（非アルコキシル化）の（メタ）アクリレートエステル、アルコキシル化脂肪族モノアルコールの（メタ）アクリレートエステル、脂肪族ポリオール（非アルコキシル化）の（メタ）アクリレートエステル、アルコキシル化脂肪族ポリオールの（メタ）アクリレートエステル、芳香族アルコール（非アルコキシル化）の（メタ）アクリレートエステル、アルコキシル化芳香族アルコールの（メタ）アクリレートエステル、エポキシ（メタ）アクリレート、ポリエーテル（メタ）アクリレート、ウレタン（メタ）アクリレート、ポリエステル（メタ）アクリレート、及びそれらのアミン及びスルフィド変性誘導体、並びにそれらの組み合わせからなる群から選択される少なくとも１つの（メタ）アクリレート官能化化合物を含む、請求項１〜６のいずれかに記載の硬化性組成物。
【請求項８】
少なくとも１つの（メタ）アクリレート官能化化合物ｂ）が、イソボルニル（メタ）アクリレート、エトキシル化トリメチロールプロパントリアクリレート、トリシクロデカンジメタノールジアクリレート、ポリエーテル脂肪族ウレタンアクリレート及びポリカーボネートウレタンアクリレートからなる群から選択される少なくとも１つの（メタ）アクリレート官能化化合物を含む、請求項１〜７のいずれかに記載の硬化性組成物。
【請求項９】
コモノマーａ）及び（メタ）アクリレート官能化化合物ｂ）の総重量を基準として、合計で約１重量％〜約９９重量％のコモノマーａ）、及び合計で約１重量％〜約９９重量％の（メタ）アクリレート官能化化合物ｂ）を含む、請求項１〜８のいずれかに記載の硬化性組成物。
【請求項１０】
請求項１〜９のいずれかに記載の硬化性組成物を硬化させることにより得られる硬化組成物。
【請求項１１】
請求項１〜９のいずれかに記載の硬化性組成物を硬化させることを含む、硬化組成物を作製する方法。
【請求項１２】
三次元物品を作製する方法であって、
ａ）請求項１〜９のいずれかに記載の硬化性組成物の第１の層を表面にコーティングするステップと；
ｂ）前記第１の層を硬化させて、硬化した第１の層を提供するステップと；
ｃ）前記硬化性組成物の第２の層を前記硬化した第１の層にコーティングするステップと；
ｄ）前記第２の層を硬化させて、前記硬化した第１の層に接着した硬化した第２の層を提供するステップと；
ｅ）ステップｃ）及びｄ）を必要な回数繰り返して、前記三次元物品を構築するステップと
を含む方法。
【請求項１３】
光ファイバコーティング等のコーティング、ＵＶ硬化ラミネート接着剤若しくはＵＶ硬化性ホットメルト接着剤等の接着剤、シーラント、インク、３Ｄ印刷樹脂又は成形樹脂における、請求項１〜９のいずれかに記載の硬化性組成物の使用。
【請求項１４】
３Ｄ物品の作製における、請求項１〜９のいずれかに記載の硬化性組成物の使用。
【請求項１５】
請求項１〜９のいずれかに記載の硬化性組成物の使用により得られる３Ｄ物品。